(57)【要約】【課題】ＷＣＤＭＡ（広帯域符号分割多元接続）セルラーネットワーク、即ち、Ｅ−ＤＣＨ（拡張専用チャネル）や、拡張アップリンクチャネルにおいて利用可能なることが期待されるデータチャネルの使用。【解決手段】無線通信デバイスが、予定固定サイズのセットから選択される固定サイズを有するための通信信号を要求するプロトコルにしたがって別な無線通信デバイスに送信され、かつ、選択された固定サイズを有するために必要なものとしてパディングされる通信信号に包含するための情報を生成し、又は、取得するステップ、及び、無線通信デバイスが、通信信号をパディングする前に、通信信号の中に情報を配置するスペースがあるときはいつも、情報を送信するステップを有する方法。【選択図】図２
2011120291.tif 000002
【特許請求の範囲】
【請求項１】
無線通信デバイスが、予定固定サイズのセットから選択される固定サイズを有するための通信信号を要求するプロトコルにしたがって別な無線通信デバイスに送信され、かつ、選択された固定サイズを有するために必要なものとしてパディングされる通信信号に包含するための情報を生成し、又は、取得するステップ、及び
無線通信デバイスが、通信信号をパディングする前に、通信信号の中に情報を配置するスペースがあるときはいつも、前記情報を送信するステップ
を有することを特徴とする方法。
【請求項２】
前記無線通信デバイスは、パディングの前の通信信号と通信信号の選択された固定サイズとの間の違いと、前記情報のサイズを比較することによって、前記情報のためのスペースがあるかどうかを判断する請求項１に記載の方法。
【請求項３】
前記情報は、サイズが固定されている請求項１に記載の方法。
【請求項４】
前記情報は、他の必要なパディングより小さい、又は、等しい場合、常に送信される請求項１に記載の方法。
【請求項５】
前記情報は、前記通信信号にすでに含まれる場合、前記情報は加えられない請求項１に記載の方法。
【請求項６】
前記情報は、スケジューリング情報である請求項１に記載の方法。
【請求項７】
前記情報は、制御および状態情報である請求項１に記載の方法。
【請求項８】
前記情報は、構成情報である請求項１に記載の方法。
【請求項９】
前記情報は、実装情報である請求項１に記載の方法。
【請求項１０】
前記情報は、所与のサイズのセットにおけるサイズであり、かつ、前記パディングが前記サイズのセットにおいて最小サイズよりサイズにおいて小さい場合、何の情報も送られない請求項１に記載の方法。
【請求項１１】
前記他の必要なパディングより小さい又は等しい前記最大サイズの情報は、送信される請求項１に記載の方法。
【請求項１２】
前記情報およびパディングの量の間に固定された関係があり、かつ、該固定された関係は、前記無線通信デバイス及び他の無線通信デバイスの両方に知られている請求項１に記載の方法。
【請求項１３】
前記通信信号の中にある情報の１つ以上のアイテムの存在を信号で伝えるために、１つ又はそれ以上のフラグが、前記通信信号の中に含められる請求項１に記載の方法。
【請求項１４】
前記無線通信デバイスは、前記パディングのサイズを超えないサイズを有するスケジューリング情報を作成する前に、前記通信信号のために必要なパディングのサイズを計算する請求項１に記載の方法。
【請求項１５】
前記無線通信デバイスは、ＵＥデバイスであり、前記他の無線通信デバイスは、無線アクセスネットワークのノードＢであり、かつ、前記通信信号は、ＭＡＣ−ｅプロトコルデータユニットを搬送する請求項１に記載の方法。
【請求項１６】
前記無線通信デバイスは無線アクセスネットワークのノードＢであり、前記他の無線通信デバイスはＵＥデバイスであり、前記通信信号はＭＡＣ−ｈｓプロトコルデータユニットを搬送する請求項１に記載の方法。
【請求項１７】
コンピュータプロセッサにより実行するために、請求項１に記載の方法を実行するための命令を有するコンピュータプログラムコードを具体化するコンピュータ読み出し記憶構造を有するコンピュータプログラム製品。
【請求項１８】
無線通信デバイスが、予定固定サイズのセットから選択される固定サイズを有するための通信信号を要求するプロトコルにしたがって別な無線通信デバイスに送信され、かつ、選択された固定サイズを有するために必要なものとしてパディングされる通信信号に包含するための情報を生成し、又は、取得する手段、及び
無線通信デバイスが、通信信号をパディングする前に、通信信号の中に情報を配置するスペースがあるときはいつも、前記情報を送信する手段
を有することを特徴とする無線通信デバイス。
【請求項１９】
請求項１８に記載の無線通信デバイスを含むＵＥデバイス、及び、
無線ネットワークコントローラ、及び、前記ＵＥデバイスに通信可能に結合されるように構成される基地局又は複数のノードＢを含む無線アクセスネットワーク
を有することを特徴とするシステム。
【請求項２０】
ＵＥデバイス、
無線ネットワークコントローラ、及び、請求項１８に記載の無線通信デバイスを各々が含み且つ前記ＵＥデバイスに通信可能に結合するように構成される基地局又は複数のノードＢを含む無線アクセスネットワーク、
を有することを特徴とするシステム。
【請求項２１】
請求項１に記載の方法を実行するための機能性を提供するために、選択され且つ内部結合された電子部品を有する特定用途向け集積回路。
【発明の詳細な説明】
【技術分野】
【０００１】
本発明は、無線通信の領域に関し、特に、３ＧＰＰ仕様による電気通信を介した無線通信に関する。
【背景技術】
【０００２】
本発明は、ＷＣＤＭＡ（広帯域符号分割多元接続）セルラーネットワーク、即ち、Ｅ−ＤＣＨ（拡張専用チャネル）や、拡張アップリンクチャネルにおいて利用可能なることが期待されるデータチャネルの使用に関する。ＷＣＤＭＡエアインタフェースは、第３世代共同プロジェクトによるＵＭＴＳ（ユニバーサル移動体通信システム）地上波無線アクセスネットワーク（ＵＴＲＡＮ）として引用される。Ｅ−ＤＣＨは、遅延を減少させ且つシステムの能力を可能な限り増加させた、ＷＣＤＭＡ（Ｒｅｌ９９）のリリース９９に比べてアップリンクの性能を高める。Ｅ−ＤＣＨは、いわゆる、ＵＴＲＡＮの高速アップリンクパケットアクセスによって使用される。
【０００３】
３ＧＰＰを通じて、ＵＴＲＡＮは、典型的には、幾つかの無線アクセスコントローラ（ＲＮＣｓ）を含み、それらの各々は、基地局としても知られるいわゆるノードＢを制御する。携帯電話のようなＵＥ（ユーザ機器）デバイスは、アップリンクすることは許可されるが、ＵＥデバイスのためにサービスするノードＢ（またの名をサービスノードＢ）によってＵＥデバイスに通信される最大許可速度又は電力を超えることは許可されない。サービスノードＢは、ＵＥ（及びネットワーク資源の現状の利用可能性）によって提供されるいわゆるスケジューリング情報を使用して、ＵＥがアップリンクのために使用可能な最大許可速度又は電力を決定する。ＵＥは、パケットが無事にノードＢに通信されるまで、バッファ内にアップリンクのためのデータを保持する。スケジューリング情報の１つの例は、ＵＥバッファがどれくらい満ちているかである。別な例は、電力状態情報である。
【０００４】
従来技術では、スケジューリング情報は、イベントトリガーのとき（例えば、バッファ容量がある閾値を超えて増加するとき）、又は、周期的に（例えば、５０ｍｓ）のどちらかでサービスノードＢに、ＵＥによって通信されている。そのスケジューリング情報は、（スケジューリング情報とは対照的に）送られるべきデータがある時いわゆるＭＡＣ−ｅ  ＰＤＵヘッダ（メディアアクセス制御レイヤ−拡張機能プロトコルデータユニット）の中で、又は、分割ＭＡＣ−ｅ制御ＰＤＵ（実際には、データの無いＭＡＣ−ｅ  ＰＤＵヘッダ）として送られている。
【発明の概要】
【発明が解決しようとする課題】
【０００５】
スケジューリング情報は、ＭＡＣ−ｅ  ＰＤＵヘッダの中に幾つかのオーバーヘッド（１〜５のオクテットのオーバーヘッドが提案される）を要求する。他方では、ＵＴＲＡＮのサービスノードＢが少なくとも幾つかのスケジューリング情報の柔軟な報告を得るために、ＵＴＲＡＮの使用を最適化する観点から利点がある。
【０００６】
したがって、必要とされるものは、ＵＥデバイスが、柔軟にスケジューリング情報をそのサービスノードＢに提供する方法であり、過度のネットワークキャパシティを用いないでそうすることである。理想的には、そうするための方法は、スケジューリング情報だけではなく、他の種類の情報にも使用することであり、そして、アップリンク（ＵＥからノードＢ）だけではなく、ダウンリンクにも使用可能なことである。
【課題を解決するための手段】
【０００７】
したがって、本発明の第１の形態によれば、無線通信デバイスが、予定固定サイズのセットから選択される固定サイズを有するための通信信号を要求するプロトコルにしたがって別な無線通信デバイスに送信され、かつ、選択された固定サイズを有するために必要なものとしてパディングされる通信信号に包含するための情報を生成し、又は、取得するステップ、及び、無線通信デバイスが、通信信号をパディングする前に、通信信号の中に情報を配置するスペースがあるときはいつも、情報を送信するステップを有する方法を提供する。
【０００８】
上記発明にしたがって、無線通信デバイスは、パディングの前の通信信号と通信信号の選択された固定サイズとの間の違いと、情報のサイズを比較することによって、情報のためのスペースがあるかどうかを判断しても良い。
【０００９】
上記発明は、また、上記方法に従うノードＢに情報を通信可能なＵＥデバイスを提供し、さらに、上記方法によるＵＥデバイスに情報を通信可能なノードＢを提供し、それらのうちの少なくとも１つは、上記方法によるノードＢに情報を通信可能である。上記情報は、スケジューリング情報又は他の種類の情報であって良い。
【００１０】
上記方法による上記情報を提供するためのＡＳＩＣ（特定用途向け集積回路）はもちろんのこと、コンピュータプログラム製品も提供される。
【図面の簡単な説明】
【００１１】
【図１】本発明に係るノードＢにスケジューリング情報（又は他の情報）を通信するＵＥのブロック又はフロー図である。
【図２】本発明に係るＵＥがノードＢにスケジューリング情報を通信する方法を示すフローチャートである。
【図３】本発明に係るスケジューリング情報をＭＡＣ−ｅ  ＰＤＵに挿入する可能性のある場所を示すデータの図である。
【図４】本発明に係るスケジューリング情報をＭＡＣ−ｅ  ＰＤＵに挿入する可能性のある場所を示すデータの図である。
【図５】本発明に係るスケジューリング情報をＭＡＣ−ｅ  ＰＤＵに挿入する可能性のある場所を示すデータの図である。
【図６】本発明に係るスケジューリング情報をＭＡＣ−ｅ  ＰＤＵに挿入する可能性のある場所を示すデータの図である。
【図７】本発明に係るスケジューリング情報をＭＡＣ−ｅ  ＰＤＵに挿入する可能性のある場所を示すデータの図である。
【図８】本発明に係るスケジューリング情報をＭＡＣ−ｅ  ＰＤＵに挿入する可能性のある場所を示すデータの図である。
【図９】本発明に係るＵＥデバイスに情報を通信するノードＢのブロック又はフロー図である。
【発明を実施するための形態】
【００１２】
上述の目的、構成、及び発明の利点は、付随する図面と関連して示される後述の詳細な説明を考慮することで明確になるだろう。
【００１３】
トランスポートブロックサイズ（ＴＢＳ）の１つの固定セット（又は２、３の固定セット）が、ＨＳＵＰＡのための３ＧＰＰによって、Ｅ−ＤＣＨのために特定されるだろう（又は最近特定されたかもしれない）。その結果、ＭＡＣ−ｅ  ＰＤＵがＵＥによって構築された場合、ＵＥは、ＭＡＣ−ｅ  ＰＤＵサイズと同等又はそれ以上である最も小さいＴＢＳを選択しそうである。従来技術によれば、ＴＢＳが、ＭＡＣ−ｅ  ＰＤＵより大きい場合、パディングが加えられる。本発明によれば、パディングのサイズがスケジューリング情報サイズより大きいときはつねに、パディングの代わりにスケジューリング情報が送られる。本発明のある実施例によれば、パディングの代わりにスケジューリング情報を送信することが、従来技術であるスケジューリング情報の送信に加えて起こり得る。即ち、スケジューリング情報がパディングのサイズが許可するときだけでなく、スケジューリング情報がサービスノードＢに定期的に送られるために、イベントトリガーにつき、サービスノードＢによるポーリングにつき、又は、１つのスケジュールにつき、スケジューリング情報が送られる。
【００１４】
ＵＥでは、Ｅ−ＴＦＣ（Ｅ−ＤＣＨトランスポート・フォーマット・コンビネーション）選択アルゴリズムは、典型的には、どのデータが、許可されたデータ速度（ノードＢによって制限される）、Ｅ−ＤＣＨのために許可された電力オフセット（ノードＢによって規定される）、バッファ内の利用可能データに基づいて送信されるべきかを選択する。選択されたデータ及びヘッダの関連する量が計算されるとき、Ｅ−ＴＦＣ選択アルゴリズムは、必要なパディングの量を計算可能であり、及び、そのときは常に計算する。スケジューリング情報のための幾つかの他のトリガー（例えば、幾つかの閾値上のバッファ又は電力、周期的報告のための時間、もしくは、スケジューリング情報のための基地局ポーリング）があるなら、スケジューリング情報は、そのトリガーのために、ヘッダに加えられる。しかし、他のトリガーが無いなら、トランスポートブロックを埋めるために必要なＥ−ＴＦＣ選択アルゴリズムによって計算されるパディングの量は、ＭＡＣ−ｅ  ＰＤＵの中にスケジューリング情報を含めるかどうか（そして、あるいは、どのスケジューリング情報が、異なる長さを有するスケジューリング情報の異なる種類の場合）を判断するために使用される。
【００１５】
ある実施例においては、スケジューリング情報（ＳＩ）は、１つの固定長ＳＩデータ項目／フィールドによって搬送され、そして、パディングの量がＳＩフィールド長より大きい場合、ＳＩデータ項目は、つねに、ＳＩデータ項目／フィールドと同じサイズのパディングの少なくとも部分の代わりにＭＡＣ−ｅ  ＰＤＵに加えられる。
【００１６】
別な実施例において、ＳＩデータ項目／フィールドのサイズ、即ち、ＳＩフィールド長は、報告されるスケジューリング情報に依存して変化し、特に、異なるスケジューリング情報（のセット）のための異なるＳＩフィールド長があり、そして、パディングの量が、異なるＳＩフィールド長の少なくとも最も小さいものより大きい場合、最も大きくなり得るＳＩデータ項目（即ち、パディングの量より大きくない最も大きいＳＩデータ項目）が常に加えられる。結果として、ＳＩフィールドで報告される情報は、パディングのサイズによって決まる。つまり、パディングが大きいと、情報は増える。ＵＥ及びノードＢの両方は、パディングがどれくらい使用されるかを知っており、したがって、ＳＩフィールドの長さを知っている。
【００１７】
留意すべきは、即ち、本発明によるスケジューリング情報を報告するだけではなく、Ｅ−ＴＦＣ選択アルゴリズムは、特定のＤＤＩ（データ記述表示）フィールド無しでパディングの量が６ビット以上の場合、ＭＡＣ−ｅ  ＰＤＵヘッダに特定のＤＤＩフィールドを加えなければならないため、とにかく、Ｅ−ＴＦＣ選択アルゴリズムは、パディングの量を計算しなければならいことであり、それで、本発明を問わず、Ｅ−ＴＦＣ選択アルゴリズムは、パディングのサイズを常に判断する必要がある。
【００１８】
例として、ＳＩフィールド長が２つの８ビット、即ち、１６ビットであることを考える。Ｅ−ＴＦＣ選択アルゴリズムは、許可されたデータ速度及び／又は許可された電力オフセット、及びバッファ内で利用可能な最優先データに基づいて、許可された最大トランスポートブロックサイズを知る。それから、Ｅ−ＴＦＣ選択アルゴリズムは、最初に（幾つかのトリガーが存在している場合のみ）、ＳＩフィールドでトランスポートブロックを埋め（ＭＡＣ−ｅレベル制御が、データバッファ内で他のデータ／制御より高い優先を有すると仮定する）、それから、バッファから最優先データを取得し、その後に、次に高い優先データを、トランスポートブロックに適合するデータが存在しなくなるまで、取得する。それから、Ｅ−ＴＦＣ選択アルゴリズムは、最小になり得るトランスポートブロックを埋めるために必要になるパディングの量を計算する。必要なパディングが１６ビット（この例において）より大きく、かつ、ＳＩがＭＡＣ−ｅ  ＰＤＵにまだ含まれないなら、ＳＩは、（少なくとも部分の）パディングの代わりにＭＡＣ−ｅ  ＰＤＵに配置される。その後で、Ｅ−ＴＦＣは、トランスポートブロックの残りがパディングすることを通知するために特定のＤＤＩフィールドが必要とされるかどうかをさらにチェックする。
【００１９】
別な例として、ＳＩフィールド長が１つ及び２つのオクテット、即ち、報告（例えば）バッファ状態のための１つのオクテット、及び、報告（例えば）バッファ状態及び電力状態のための２つのオクテットを考えてみる。Ｅ−ＴＦＣスケジューリングアルゴリズムは、最小になり得るトランスポートブロックを埋めるために必要なパディングの量を計算する。必要なパディングが少なくとも（この例では）８ビットで、ＳＩが、ＭＡＣ−ｅ  ＰＤＵにまだ含まれない場合、バッファ状態を示すＳＩは、そこに（８ビット長）加えられる。必要なパディングが少なくとも１６ビットなら、ＳＩ伝送電力及びバッファ状態は、パディング（１６ビット長）（の少なくとも部分）の代わりに、ＭＡＣ−ｅ  ＰＤＵに配置される。そうした後に、Ｅ−ＴＦＣスケジューリングアルゴリズムは、特定のＤＤＩフィールドがトランスポートブロックの残りがパディングであることを通知するために必要かどうかをさらにチェックする。ノードＢがＭＡＣ−ｅ  ＰＤＵを受信するとき、ノードＢはパディングの量を知り、それゆえ、パディングの（少なくとも部分）の代わりにＭＡＣ−ｅ  ＰＤＵにＳＩの（最大）長さが加えられることを知る（ＳＩはパディングより少し小さくなり得る、それで、ＳＩの長さはパディングの長さと全く同じではない。しかし、パディングサイズ及びＳＩサイズの間には固定された関係があるので、パディングサイズはＳＩサイズを常に指示する）。
【００２０】
留意すべきは、（ＵＥデバイス及び無線アクセスネットワーク間の）エアインタフェース上を何が実際に通信されるか、（本発明により提供される、即ち、そのためのスペースがある場合、あるいは、それを適応するのに十分に利用可能な能力／スペースがある場合）ＳＩデータ項目及びあり得るパディングを含むＭＡＣ−ｅ  ＰＤＵが何であるかである。しかし、（従来技術により存在するパディングとは対照的に）この実際のパディングは、ＵＥがＳＩデータ項目サイズを比較するパディングの量ではない。ＵＥは、ヘッダ及びＭＡＣ−ｅｓ  ＰＤＵを有するＭＡＣ−ｅ  ＰＤＵを生成し、それらの蓄積されたサイズを、次に長いトランスポートブロックサイズと比較する。ＳＩデータ項目は、そのためのスペースがある場合、即ち、ＴＢＳ−ヘッダ−ＭＡＣ−ｅｓ  ＰＤＵがＳＩサイズと同じかそれ以上の場合に、加えられる。ＳＩデータ項目の追加の後、幾つかのパディングのためのスペースがまだあるかもしれない。それで、本発明によれば、ＵＥデバイスは、パディングの「代わりに」ＳＩデータ項目を送信する、又は、そのためのスペースがある場合（そのスペースが、さもなければパディングで埋められる）ときはどんなときでも、ＵＥデバイスはＳＩデータ項目を送信すると言うことができる。したがって、本発明を、ＵＥデバイスに付加的トリガーイベント、即ち、ＳＩデータ項目を蓄積するためのスペース又は利用可能な能力を有するＭＡＣ−ｅ  ＰＤＵのイベントを認識できるようにすることを提供すると考えることが可能である。
【００２１】
図１及び２を参照すると、ノードＢ１０（又は、基地局／基地局送受信機／無線アクセスネットワークのサービスアクセスポイント）が、ＵＥデバイス１１のためのサービスノードＢとして機能しているように表される。ノードＢは、（無線アクセスネットワークの一部でもある）無線ネットワークコントローラ（ＲＮＣ）１４の下にいる。ＲＮＣは、典型的に、幾つかのノードＢを制御し、言い換えれば、無線アクセスネットワークを共同して作り出す幾つかのＲＮＣのうちの１つである。ノードＢは、典型的に、ＲＮＣから受信するコマンドに基づき、しかし、時々、自立的に、ＵＥデバイスによるアップリンクを規制するコマンドを送信する（ときどき、コマンドは、ＵＥデバイスからの速度変化リクエストに応答して、ノードＢによりＵＥデバイスへ送信される）。ノードＢは、アップリンクを規制するとき、即ち、ＵＥデバイスに送信するためにどんな速度制御を命令するかを判断するとき、ＵＥデバイスにより提供されるスケジューリング情報を使用する。
【００２２】
さて、上述のような本発明によれば、ＵＥデバイスは、（通信信号によって搬送される）ＭＡＣ−ｅ  ＰＤＵに加えられるパディングの代わりに少なくとも幾つかのスケジューリング情報を送信する。上述のように、そうするために、最初のステップ２１では、ＵＥデバイスは完全なＭＡＣ−ｅ  ＰＤＵを組み立てるときに必要とされるパディングのサイズを決定し、そしてこれをあらゆるケースで実行する、即ち、本発明により要求される付加的ステップは無い。
【００２３】
本発明に特有の次のステップ２２では、ＵＥデバイスは、パディングサイズを、ＵＥデバイスがパディングの代わりにＭＡＣ−ｅ  ＰＤＵに含めることができるスケジューリング情報を示すデータのサイズと比較する。
【００２４】
それから、（図１にも表される）さらに本発明に特有の次のステップ２３では、スケジューリング情報がパディングの量と等しいかそれ以下であることをＵＥデバイスが判断する場合、パディングの代わりにＭＡＣ−ｅ  ＰＤＵの中にスケジューリング情報を送信する。後述するように、スケジューリング情報は、固定サイズの単一のＳＩデータ項目によって示され得る。あるいは、スケジューリング情報の異なる種類か（例えば、バッファサイズＶＳ電源状態）、情報の異なるセットか（例えば、バッファサイズＶＳバッファサイズ及び電源状態）かのどちらかを示すＭＡＣ−ｅ  ＰＤＵの中に含まれうる幾つかの異なるＳＩデータ項目があるかもしれない。そのような実施例において、異なるＳＩデータ項目／フィールドは、サイズにおいて異なり、そして、ＵＥは、パディングと同じサイズかそれ以下の最大ＳＩデータ項目を送信する。
【００２５】
図３〜５は、本発明によるＳＩを有するＭＡＣ−ｅ  ＰＤＵを表し、ＳＩが置換するパディングが配置された同じ場所でＭＡＣ−ｅ  ＰＤＵの中に提供される必要は無いことを明確にする。図３〜５に表されるように、ＭＡＣ−ｅ  ＰＤＵは、１つ以上のＤＤＩのペア、数量Ｎ、各々が常に１つ以上のＭＡＣ−ｄ  ＰＤＵを含む１つ以上のＭＡＣ−ｅｓ  ＰＤＵも含む。ＤＤＩは、論理チャネル識別子、ＭＡＣ−ｄフロー識別子、ＭＡＣ−ｄ  ＰＤＵサイズ、及び各Ｎは、対応するＭＡＣ−ｅｓ  ＰＤＵの中に（全て同じサイズ）ＭＡＣ−ｄ  ＰＤＵの数を示す。ＭＡＣ−ｅｓ  ＰＤＵは、（６ビット）ＴＳＮ（送信シーケンス番号）及び（Ｎに相当する１つのＭＡＣ−ｅｓ  ＰＤＵの中にＭＡＣ−ｄ  ＰＤＵの数と共に）ＭＡＣ−ｄ  ＰＤＵから構成される（ＭＡＣ−ｄのサイズは、ＤＤＩから通知される）。１つのＭＡＣ−ｅｓ  ＰＤＵの中にある全てのＭＡＣ−ｄ  ＰＤＵは、同じサイズであるが、異なるＭＡＣ−ｅｓ  ＰＤＵの内部で、ＭＡＣ−ｄ  ＰＤＵは、異なるサイズを有する。
【００２６】
図３では、ＳＩ（スケジューリング情報）は、ＭＡＣ−ｅヘッダの終端部に加えられる。ノードＢにおける受信機は、最初に、ＤＤＩ及びＮ（ＭＡＣ−ｅｓ  ＰＤＵの中のＭＡＣ−ｄ  ＰＤＵの数）を読み出し、そして対応するＭＡＣ−ｅｓ  ＰＤＵサイズ（そのサイズは、ビットで６＋Ｎ×ＭＡＣ−ｄ−ＰＤＵ−ｓｉｚｅにより与えられ、ＭＡＣ−ｄ＿ＰＤＵ＿ｓｉｚｅは、ＤＤＩにより示されるＭＡＣ−ｄ  ＰＤＵ  ｓｉｚｅである）を計算し、最後に、ＭＡＣ−ｅｓ  ＰＤＵサイズを、Ｅ−ＤＰＣＣＨ上で信号化される（Ｅ−ＴＦＩ、即ち、拡張トランスポート・フォーマット・インディケータとも言われる）ＴＢＳ（トランスポートブロックサイズ）と比較する。別のＤＤＩ用のスペースがあるので、受信機は別なＤＤＩを読み込み、ＤＤＩが１１１１１１ではないので、Ｎも読まれ、そして対応するＭＡＣ−ｅｓ  ＰＤＵサイズが再び計算される（＝ビットで６＋Ｎ×ＭＡＣ−ｄ＿ＰＤＵ＿ｓｉｚｅ）。
【００２７】
ＭＡＣ−ｅｓ  ＰＤＵ及び対応するヘッダ部分の合計サイズは、ＴＢＳと比較される。（この例では）比較は、別なＤＤＩのためにまだスペースがあることを示す。それゆえ、受信機は、別なＤＤＩを読む。受信機は、次のＤＤＩが１１１１１１（＝ＤＤＩ0、残りがパディングであることを示すためのＤＤＩの特定値）であることを見つけ、それで、従来技術によればその残りは、パディングであるべきであるが、パディングのこの量は、ＳＩサイズ（又は、起こり得る幾つかのＳＩサイズの１つか別のもの）より大きいなら、ＳＩは、そこに配置され、そして、残りがパディングとなる。もしそうでないなら、ＳＩは、そこに配置されない（代わりに、パディングのみがそこに配置される）。
【００２８】
図４は、ＳＩが単にＭＡＣ−ｅ  ＰＤＵの終端部に追加される図３と同じ図である。
【００２９】
図５は、ＳＩを示すための別な可能性、即ち、ヘッダの最初に１つのビットフラグがある別な可能性を示す。したがって、例えば、１のフラグビットバリュー（Ｆ＝１）は、ＳＩがあることを示しており、さもなければ、０のフラグビットバリュー（Ｆ＝０）は、ＳＩが存在せず、ＤＤＩがＦの次にくることを示す。この場合、パディングの（一時的な）量は、ＭＡＣ−ｅｓ  ＰＤＵサイズ及び対応するＭＡＣ−ｅヘッダ部分のサイズを用いて上述のケースのように計算される。この量が、ＳＩより大きい場合、ＳＩはＭＡＣ−ｅヘッダの最初に加えられる（そして、パディングの実際の量は、減少される）。
【００３０】
図６は、スケジューリング情報の２つの異なる項目を搬送するために２つの異なるＳＩデータ項目／フィールドを有する代替案を示す。２つの異なるＳＩは、各々の（多分異なる）サイズを有する。（例えば、１に）セットのときの第１のフラグＦ１は、二つのＳＩの少なくとも一つが、ＤＤＩの代わりにくることを示し、第１のフラグがセットされる場合のみ含められる第２のフラグＦ２は、第２のＳＩが存在することを示す。セットフラグを示すための１という値を用いて、第１のＳＩだけが存在する場合、Ｆ１＝１及びＦ２＝０である。両者が存在する場合、Ｆ１＝１及びＦ２＝１である。２つのＳＩのどちらも存在しない場合（ＳＩのどちらかを適応するための不十分なパディングがあるので）、Ｆ１＝０（そして、Ｆ２はＭＡＣ−ｅ  ＰＤＵの中に含められる）である。
【００３１】
図７は、図３と同じケースであるが、ＭＡＣ−ｅｓ  ＰＤＵの後のパディングの量は、６ビットより小さく、それゆえ、ＤＤＩは、加えられず、短いＳＩがパディングの代わりに加えられる（下記第２の例）。
【００３２】
図８は、同じサイズのＴＳＮ及び一つ以上のＭＡＣ−ｄ  ＰＤＵを構成する従来技術のＭＡＣ−ｅｓ  ＰＤＵを表す。ＭＡＣ−ｄ  ＰＤＵサイズは、ＭＡＣ−ｅ  ＰＤＵヘッダの中のＮと共にＭＡＣ−ｄ  ＰＤＵの数、及びＤＤＩで信号化される。
【００３３】
Ｅ−ＴＦＣＩは、（パディングを含む）ＭＡＣ−ｅ  ＰＤＵサイズを通知し、｛［ＤＤＩ，Ｎ］，［ＤＤＩ0］｝は、データ＋ヘッダサイズを通知するので、パディングサイズは、常に知られる。したがって、（パディングが通常ある）終端にＳＩを付加することは、上手く機能する。下記に説明される表１で規定される固定されたマッピングテーブルを用いることで、パディングサイズは、ＳＩサイズを通知する。言い換えれば、（Ｅ−ＴＦＣＩ、ＤＤＩ及びＮから計算される）パディングサイズは、どのＳＩがＭＡＣ−ｅ  ＰＤＵの終端に置かれるかを通知する。
【００３４】
パディング        ＳＩ
４−６ビット      ４ビットバッファ状態
７−．．．ビット  ４ビットバッファ状態＋３ビット電源上部スペース
表１．異なるパディングサイズに対応するＳＩサイズを示す固定マッピングテーブル
【００３５】
２つの例を考える。
第１の例（図４）
・Ｅ−ＴＦＣＬ＝＞２２１２ビット  ＭＡＣ−ｅ  ＰＤＵ
・１１１１１１と異なるＤＤＩ（論理チャネル０、ＰＤＵサイズ＝３２０ビット）、Ｎが読み込まれる
・Ｎ＝６＝＞データ用３２０＊６＋ＴＳＮ用６＝＞２２１２−１９２６−６−６＝２７４ビットが残る
・６ビット以上、その次のＤＤＩが読み込まれる
・１１１１１１と異なるＤＤＩ、Ｎ（論理チャネル３、ＰＤＵサイズ＝２４４ビット）、Ｎが読み込まれる
・Ｎ＝１＝＞データ用２４４＋ＴＳＮ用６＝＞２７４−２５０−６−６＝１２ビットが残る
・６ビット以上、その次のＤＤＩが読み込まれる
・ＤＤＩ＝１１１１１１、データの終端＝＞パディング＝１２−６＝６ビット
・ＭＡＣ−ｅ  ＰＤＵの終端部に、我々は４ビットのＳＩ＋２ビットパディングを有する
【００３６】
第２の例（図７）
・Ｅ−ＴＦＣＬ＝＞２２１２ビット  ＭＡＣ−ｅ  ＰＤＵ
・１１１１１１と異なるＤＤＩ（論理チャネル０、ＰＤＵサイズ＝３２０ビット）、Ｎが読み込まれる
・Ｎ＝６＝＞データ用３２０＊６＋ＴＳＮ用６＝＞２２１２−１９２６−６−６＝２７４ビットが残る
・６ビット以上、その次のＤＤＩが読み込まれる
・１１１１１１と異なるＤＤＩ、Ｎ（論理チャネル２、ＰＤＵサイズ＝２５１ビット）、Ｎが読み込まれる
・Ｎ＝１＝＞データ用２５１＋ＴＳＮ用６＝＞２７４−２５７−６−６＝５ビットが残る
・６ビット以下、残りはパディングである
・ＭＡＣ−ｅ  ＰＤＵの終端部に、我々は４ビットのＳＩ＋１ビットパディングを有する
【００３７】
ＳＩが（幾つかの）パディングの代わりにつねに送られる場合、ＭＡＣ−ｅ  ＰＤＵの中のＳＩの存在は、信号化される必要は無く、正しいＴＢＳ／多重化の組み合わせが、送信されるべきＳＩに十分なパディングを確実にするために選択される。
【００３８】
ある実施例では、ＤＤＩの特定値（例えば、１１１１１０）は、ＳＩがついてくることを示すために使用され得る。幾つかのトリガーイベントが生じるなら、ＵＥがパディングの量を計算する前に、ＳＩはＭＡＣ−ｅ  ＰＤＵの中に既に存在するだろう。本発明の典型的な実施例によれば、そのような状況下で、ＵＥは異なるスケジューリング情報と通信しないなら（即ち、ＳＩのための異なるサイズが無いなら）、ＵＥは別なＳＩを加えないだろう。
【００３９】
ある実施例では、１つのＳＩサイズのみのケース（即ち、１６ビット）で、従来技術のようにトリガーされるとき、ＳＩは常に送信され、そして本発明によって、スペースがあるなら（即ち、パディングの代わりに送信されるなら）ＳＩも送信される。
【００４０】
幾つかのトリガーイベントのときのスケジューリング情報は、（パディングの代わりに）スペースがあれば送られる情報とは異なる。例えば、通常のトリガー情報（イベント、ポーリング、周期的な）は、全体バッファ状態及び電源上部スペース情報である一方で、パディング（又は、ＭＡＣ−ｅ  ＰＤＵの中で利用可能な空間によるトリガー）を置き換える情報は、異なる優先順位のためのバッファ状態、異なるＭＡＣ−ｄフロー、又は、論理チャネルのような、幾つかの付加的なバッファ状態になり得る。したがって、トランスポートブロック（パディングで使用されない空間を埋めることで完成される）の中にスペースがあるときはつねに、ＵＥが付加情報を送信する。例えば、付加情報は、優先を示すために３ビット、その優先のためのバッファ状態のために３ビットで、これらの６ビットブロックの多く（例えば、異なる優先順位）が、スペースのために加えられるだろう。例えば、パディングの２４ビットを有するトランスポートブロックをパディングする代わりに、トランスポートブロックの中に２４ビットのスペースがあるなら、ＵＥは、４つの異なる優先順位のためのバッファ状態を送信する。
【００４１】
スケジューリング情報は、ここで、別な方法でトランスポートブロックに加えられるパディング（少なくとも幾つかの）の代わりに、トランスポートブロックの中でＵＥによって通信される情報の１つの例として使用される。スペースがあるときは常に、パディングの代わりに送信される他の情報がある。パディングの代わりに、ＵＥがノードＢに有利に通信する他の情報の良い例は、実行に関連する情報、即ち、ＵＥ能力情報（例えば、製品番号、作成識別）である。
【００４２】
上述においては、ＵＥは、ＨＳＤＰＡの場合における例のように、パディングの代わりにサービスノードＢに情報をアップリンクする。同じ考えが、ダウンリンクにも適応され得る、すなわち、例えば、ＨＳＤＰＡ（高速度ダウンリンクパケットアクセス）の場合である。ＨＳＤＰＡでは、トランスポートブロックサイズもまた固定され、それゆえ、ＭＡＣ−ｈｓ  ＰＤＵを埋めるためにパディングは使用される。
【００４３】
本発明によれば、（サービス）ノードＢは、（少なくとも幾つかの）パディングの代わりに、ＵＥに幾つかの情報をダウンリンクする。ノードＢは、例えば、ノードＢの中の異なる優先順位キューのバッファ状態についてＵＥに通知する。ＵＥは、様々な方法で、例えば、異なる再注文キューにメモリ配置する方法で、その情報を使用する。その情報は、スペースがある場合のみ送信されるので、重大な情報では無く、ＵＥが必ず必要ではないことを知るために使用される。別な例では、ノードＢ能力情報である。
【００４４】
図９を参照すると、本発明は、ＨＳＤＰＡのケースで使用され、その場合、ＵＥデバイス１１のサービスノードＢ１０は、別な方法でトランスポートブロックの中に含められる少なくとも幾つかのパディングの代わりにＭＡＣ−ｈｓ  ＰＤＵとともにあるトランスポートブロックの中の（データビットとしての）情報と通信する。
【００４５】
上述の処理は、本発明の原則の応用を説明するためにのみ理解される。多くの修正及び代替構成は、発明の範囲から離れることなく当業者によって考案され、添付の請求項は、上記修正及び処理をカバーすることを意図している。
【図１】
2011120291.tif 000003
【図２】
2011120291.tif 000004
【図３】
2011120291.tif 000005
【図４】
2011120291.tif 000006
【図５】
2011120291.tif 000007
【図６】
2011120291.tif 000008
【図７】
2011120291.tif 000009
【図８】
2011120291.tif 000010
【図９】
2011120291.tif 000011
【手続補正書】
【提出日】平成23年3月22日(2011.3.22)
【手続補正１】
【補正対象書類名】特許請求の範囲
【補正対象項目名】全文
【補正方法】変更
【補正の内容】
【特許請求の範囲】
【請求項１】
通信信号のサイズを固定サイズと同じになるように調整するためのパディングを含まない状態での通信信号を搬送するための複数の固定サイズブロックのうちの１つを選択するステップと、
前記固定サイズブロックと、前記パディングを含まない状態での通信信号のサイズとの間の差異を計算するステップと、
前記計算された差異を超えないサイズを有する情報を生成、又は、取得するステップであって、前記情報は、所定のサイズのセットにおけるいずれのサイズであっても良く、前記計算された差異が該所定のサイズのセットにおける最小サイズより小さい場合、何の情報も前記通信信号に含まれない、ステップと、
前記計算された差異が該所定のサイズのセットにおける最小サイズより大きい場合には、前記通信信号の中に前記情報を含め、より小さい場合、前記通信信号のサイズを調整するためのパディングのみを含める、ステップであって、前記計算された差異より小さい又は等しい最大サイズの前記情報は、前記通信信号の中に含められる、ステップと、
を含む方法であって、
前記方法は、無線通信デバイスで実行され、かつ、前記通信信号は、別の無線通信デバイスへ送信するためのものであり、
前記情報および前記計算されたパディングの量の間には固定された関係があり、かつ、該固定された関係は、前記無線通信デバイス及び前記別の無線通信デバイスの両方に知られており、
前記通信信号の中にある１つ又はそれ以上のアイテムの情報の存在を信号で伝えるために、１つ又はそれ以上のフラグが、前記通信信号の中に含められる、方法。
【請求項２】
前記情報は、サイズが固定されている、請求項１に記載の方法。
【請求項３】
前記方法は、無線通信デバイスで実行され、かつ、前記通信信号は、別の無線通信デバイスへ送信するためのものであり、
前記情報は、スケジュール又は前記情報を提供するためのトリガーを含む手順にしたがって、前記他の無線通信デバイスにも提供される種類の情報かどうかに関係なく、前記通信信号に含まれる、請求項１に記載の方法。
【請求項４】
前記方法は、無線通信デバイスで実行され、かつ、前記通信信号は、別の無線通信デバイスへ送信するためのものであり、
前記情報は、前記情報がスケジュール又は前記情報を提供するためのトリガーを含む手順にしたがって前記別の無線通信デバイスにも提供される種類の情報かどうかに関係なく、前記通信信号に含まれるが、前記情報が既に前記通信信号に含まれている場合は前記情報を含まないように構成される、請求項１に記載の方法。
【請求項５】
前記情報は、スケジューリング情報である、請求項１に記載の方法。
【請求項６】
前記情報は、制御および状態情報である、請求項１に記載の方法。
【請求項７】
前記情報は、構成情報である、請求項１に記載の方法。
【請求項８】
前記情報は、実装情報である、請求項１に記載の方法。
【請求項９】
前記通信信号は、ＭＡＣ−ｅプロトコルデータユニットを搬送する、請求項１に記載の方法。
【請求項１０】
前記通信信号は、ＭＡＣ−ｈｓプロトコルデータユニットを搬送する、請求項１に記載の方法。
【請求項１１】
コンピュータプロセッサにより実行される、請求項１に記載の方法を実行するための命令を含むコンピュータプログラム。
【請求項１２】
通信信号のサイズを固定サイズと同じになるように調整するためのパディングを含まない通信信号を搬送するための複数の固定サイズブロックのうちの１つを選択する手段と、  前記固定サイズブロックと、前記パディングを含まない状態での通信信号のサイズとの間の差異を計算する手段と、
前記計算された差異を超えないサイズを有する情報を生成、又は、取得する手段であって、前記情報は、所定のサイズのセットにおける任意のサイズであり、かつ、前記計算された差異が該所定のサイズのセットにおける最小サイズより小さい場合、何の情報も前記通信信号に含まれない手段と、
前記計算された差異が該所定のサイズのセットにおける最小サイズより大きい場合には、前記通信信号の中に前記情報を含め、より小さい場合、前記通信信号のサイズを調整するためのパディングのみを含める、手段であって、前記計算された差異より小さい又は等しい最大サイズの前記情報は、前記通信信号の中に含められる、手段と、
を備える装置であって、
前記方法は、無線通信デバイスで実行され、かつ、前記通信信号は、別の無線通信デバイスへ送信するためのものであり、
前記情報および前記計算されたパディングの量の間には固定された関係があり、かつ、該固定された関係は、前記無線通信デバイス及び前記別の無線通信デバイスの両方に知られており、
前記通信信号の中にある１つ又はそれ以上のアイテムの情報の存在を信号で伝えるために、１つ以上のフラグが、前記通信信号の中に含められる、装置。
【請求項１３】
請求項１２に記載の装置を含むユーザ装置デバイス、
無線ネットワークコントローラ及び該無線ネットワークコントローラの制御下の複数の無線端末を含む無線アクセスネットワークであって、前記ユーザ装置デバイスに通信可能に接続される無線アクセスネットワークと、を備えるシステム。
【請求項１４】
ユーザ装置デバイスと、
無線ネットワークコントローラ及び該無線ネットワークコントローラの制御下にあり且つ各々が請求項１２に記載の装置を有する複数の無線端末を含む無線アクセスネットワークであって、前記ユーザ装置デバイスに通信可能に接続されるように構成された無線アクセスネットワークと、を備えるシステム。
【請求項１５】
請求項１に記載の方法を実行するための機能性を提供するために、選択され、相互接続された電子部品を備える特定用途向け集積回路。
【請求項１６】
通信信号のサイズを固定サイズと同じになるように調整するためのパディングを含まない状態での通信信号を搬送するための複数の固定サイズブロックのうちの１つを選択し、
前記固定サイズブロックと、前記パディングを含まない状態での通信信号のサイズとの間の差異を計算し、前記計算された差異を超えないサイズを有する情報を生成、又は、取得する、ように構成されるプロセッサを有する装置であって、
前記情報は、所定のサイズのセットにおける任意のサイズであり、かつ、前記計算された差異が該所定のサイズのセットにおける最小サイズより小さい場合、何の情報も前記通信信号に含まれず、
前記計算された差異が該所定のサイズのセットにおける最小サイズより大きい場合には、前記通信信号の中に前記情報を含め、より小さい場合には、前記通信信号のサイズを調整するためのパディングのみを含め、
前記計算された差異より小さい又は等しい最大サイズの前記情報は、前記通信信号の中に含められ、
前記方法は、無線通信デバイスで実行され、かつ、前記通信信号は、別の無線通信デバイスへ送信するためのものであり、
前記情報および前記計算されたパディングの量の間には固定された関係があり、かつ、該固定された関係は、前記無線通信デバイス及び前記別の無線通信デバイスの両方に知られており、
前記通信信号の中にある１つ又はそれ以上のアイテムの情報の存在を信号で伝えるために、１つ又はそれ以上のフラグが、前記通信信号の中に含められる、装置。
【請求項１７】
前記装置は、無線通信デバイスの一部であり、かつ、前記通信信号は、別の無線通信デバイスへ送信するためのものであり、
前記プロセッサは、前記情報が、スケジュール又は前記情報を提供するためのトリガーを含む手順にしたがって前記別の無線通信デバイスにも提供される種類の情報かどうかに関係なく、前記通信信号の中に前記情報を含めるように構成される、請求項１６に記載の装置。
【請求項１８】
前記装置は、無線通信デバイスの一部であり、かつ、前記通信信号は、別の無線通信デバイスへ送信するためのものであり、
前記プロセッサは、前記情報がスケジュール又は前記情報を提供するためのトリガーを含む手順にしたがって前記別の無線通信デバイスにも提供される種類の情報かどうかに関係なく、前記通信信号の中に前記情報を含めるように構成されるが、
前記情報が既に前記通信信号に含まれている場合には前記情報を含まないように構成される、請求項１６に記載の装置。
【請求項１９】
前記情報は、サイズが固定されている、請求項１６に記載の装置。
【請求項２０】
前記情報は、スケジューリング情報である、請求項１６に記載の装置。
【請求項２１】
前記情報は、制御および状態情報である、請求項１６に記載の装置。
【請求項２２】
前記情報は、構成情報である、請求項１６に記載の装置。
【請求項２３】
前記情報は、実装情報である、請求項１６に記載の装置。
【請求項２４】
請求項１６に記載の装置を含むユーザ装置デバイスと、
無線ネットワークコントローラ及び該無線ネットワークコントローラの制御下の複数の無線端末を含む無線アクセスネットワークであって、前記ユーザ装置デバイスに通信可能に接続される無線アクセスネットワークと、を備えるシステム。
【請求項２５】
ユーザ装置デバイスと、
無線ネットワークコントローラ及び該無線ネットワークコントローラの制御下にあり且つ各々が請求項１６に記載の装置を有する複数の無線端末を含む無線アクセスネットワークであって、
前記ユーザ装置デバイスに通信可能に接続されるように構成された無線アクセスネットワークと、を備えるシステム。
【請求項２６】
前記通信信号は、ヘッダ部及びデータ部を含む、請求項１６に記載の装置。
【請求項２７】
前記ヘッダ部及びデータ部は、メディアアクセス制御プロトコルデータユニットを形成する、請求項２６に記載の装置。
【請求項２８】
前記データ部は、１つ以上のＭＡＣ−ｅｓプロトコルデータユニット含み、該ＭＡＣ−ｅｓプロトコルデータユニットの各々は、ヘッダ及びデータ部を含む、請求項２７に記載の装置。
【請求項２９】
前記通信信号を前記選択された固定サイズに調整するために前記情報が加えられた後で、パディングが前記通信信号に加えられる、請求項２６に記載の装置。
【請求項３０】
前記情報は、前記データ部の終端部に加えられ、かつ、前記固定サイズに前記通信信号のサイズを調整するために必要なパディングが後につづく、請求項２６に記載の装置。
【請求項３１】
前記通信信号は、ヘッダ部及びデータ部を含む、請求項１に記載の方法。
【請求項３２】
前記ヘッダ部及びデータ部は、メディアアクセス制御プロトコルデータユニットを形成する、請求項３１に記載の方法。
【請求項３３】
前記データ部は、１つ以上のＭＡＣ−ｅｓプロトコルデータユニット含み、 該ＭＡＣ−ｅｓプロトコルデータユニットの各々は、ヘッダ及びデータ部を含む、請求項３２に記載の方法。
【請求項３４】
前記通信信号を前記選択された固定サイズに調整するために前記情報が加えられた後で、パディングが前記通信信号に加えられる、請求項３１に記載の方法。
【請求項３５】
前記情報は、前記データ部の終端部に加えられ、かつ、前記固定サイズに前記通信信号のサイズを調整するために必要なパディングが後につづく、請求項３１に記載の方法。